【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
ＲＬＣ  ＰＤＵサイズフォーマット情報を含むＲＡＤＩＯ  ＬＩＮＫ  ＡＤＤＩＴＩＯＮ  ＲＥＱＵＥＳＴメッセージを、制御装置から受信する、基地局装置。
【請求項２】
前記ＲＬＣ  ＰＤＵサイズフォーマット情報は、ＲＬＣ  ＰＤＵサイズが固定長か否かを示す情報を含む、請求項１に記載の基地局装置。
【請求項３】
前記ＲＬＣ  ＰＤＵサイズフォーマット情報は、Ｐｒｉｏｒｉｔｙ  Ｑｕｅｕｅのために用いられる、請求項１または２に記載の基地局装置。
【請求項４】
前記ＲＡＤＩＯ  ＬＩＮＫ  ＡＤＤＩＴＩＯＮ  ＲＥＱＵＥＳＴメッセージは、無線リンク追加の手順が開始する場合に送信される、請求項１乃至３のいずれか一項に記載の基地局装置。
【請求項５】
前記ＲＡＤＩＯ  ＬＩＮＫ  ＡＤＤＩＴＩＯＮ  ＲＥＱＵＥＳＴメッセージが、Ｐｒｉｏｒｉｔｙ  ＱｕｅｕｅのＭａｘｉｍｕｍ  ＭＡＣ−ｄ  ＰＤＵ  Ｓｉｚｅ  Ｅｘｔｅｎｄｅｄ情報を含まず、前記サイズフォーマット情報が、前記ＲＬＣ  ＰＤＵのサイズが可変長であることを示している場合、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、請求項１乃至４のいずれか一項に記載の基地局装置。
【請求項６】
前記ＲＡＤＩＯ  ＬＩＮＫ  ＡＤＤＩＴＩＯＮ  ＲＥＱＵＥＳＴメッセージが含む前記サイズフォーマット情報と、ＨＳ−ＤＳＣＨ  ＭＡＣ−ｄ  ＰＤＵ  Ｓｉｚｅ  Ｆｏｒｍａｔ情報とに基づいて、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、請求項１乃至５のいずれか一項に記載の基地局装置。
【請求項７】
前記サイズフォーマット情報と、前記ＨＳ−ＤＳＣＨ  ＭＡＣ−ｄ  ＰＤＵ  Ｓｉｚｅ  Ｆｏｒｍａｔ情報とが不一致の場合、前記基地局装置は、前記ＲＡＤＩＯ  ＬＩＮＫ  ＡＤＤＩＴＩＯＮ  ＦＡＩＬＵＲＥメッセージを用いて前記手順を拒絶する、請求項６に記載の基地局装置。
【請求項８】
前記ＲＡＤＩＯ  ＬＩＮＫ  ＡＤＤＩＴＩＯＮ  ＲＥＱＵＥＳＴメッセージが、前記ＲＬＣ  ＰＤＵサイズが可変長にセットされた前記サイズフォーマット情報を含み、前記ＨＳ−ＤＳＣＨ  ＭＡＣ−ｄ  ＰＤＵ  Ｓｉｚｅ  Ｆｏｒｍａｔ情報が、ＭＡＣ−ｄ  ＰＤＵのサイズが固定長であることを示す場合、前記基地局装置は、前記ＲＡＤＩＯ  ＬＩＮＫ  ＡＤＤＩＴＩＯＮ  ＦＡＩＬＵＲＥメッセージを用いて前記手順を拒絶する、請求項６に記載の基地局装置。
【請求項９】
ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを、基地局装置に送信する、制御装置。
【請求項１０】
前記ＲＬＣ  ＰＤＵサイズフォーマット情報は、ＲＬＣ  ＰＤＵサイズが固定長か否かを示す情報を含む、請求項９に記載の制御装置。
【請求項１１】
前記ＲＬＣ  ＰＤＵサイズフォーマット情報は、Ｐｒｉｏｒｉｔｙ  Ｑｕｅｕｅのために用いられる、請求項９または１０に記載の制御装置。
【請求項１２】
前記ＲＡＤＩＯ  ＬＩＮＫ  ＡＤＤＩＴＩＯＮ  ＲＥＱＵＥＳＴメッセージは、無線リンク追加の手順が開始する場合に送信される、請求項９乃至１１のいずれか一項に記載の制御装置。
【請求項１３】
前記ＲＡＤＩＯ  ＬＩＮＫ  ＡＤＤＩＴＩＯＮ  ＲＥＱＵＥＳＴメッセージが、Ｐｒｉｏｒｉｔｙ  ＱｕｅｕｅのＭａｘｉｍｕｍ  ＭＡＣ−ｄ  ＰＤＵ  Ｓｉｚｅ  Ｅｘｔｅｎｄｅｄ情報を含まず、前記サイズフォーマット情報が、前記ＲＬＣ  ＰＤＵのサイズが可変長であることを示している場合、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、請求項９乃至１２のいずれか一項に記載の制御装置。
【請求項１４】
前記ＲＡＤＩＯ  ＬＩＮＫ  ＡＤＤＩＴＩＯＮ  ＲＥＱＵＥＳＴメッセージが含む前記サイズフォーマット情報と、ＨＳ−ＤＳＣＨ  ＭＡＣ−ｄ  ＰＤＵ  Ｓｉｚｅ  Ｆｏｒｍａｔ情報とに基づいて、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、請求項９乃至１３のいずれか一項に記載の制御装置。
【請求項１５】
前記ＲＡＤＩＯ  ＬＩＮＫ  ＡＤＤＩＴＩＯＮ  ＲＥＱＵＥＳＴメッセージが含む前記サイズフォーマット情報と、前記ＨＳ−ＤＳＣＨ  ＭＡＣ−ｄ  ＰＤＵ  Ｓｉｚｅ  Ｆｏｒｍａｔ情報とが不一致の場合、前記基地局装置は、前記ＲＡＤＩＯ  ＬＩＮＫ  ＡＤＤＩＴＩＯＮ  ＦＡＩＬＵＲＥメッセージを用いて前記手順を拒絶する、請求項１４に記載の制御装置。
【請求項１６】
前記ＲＡＤＩＯ  ＬＩＮＫ  ＡＤＤＩＴＩＯＮ  ＲＥＱＵＥＳＴメッセージが、ＲＬＣ  ＰＤＵサイズが可変長にセットされた前記サイズフォーマット情報を含み、前記ＨＳ−ＤＳＣＨ  ＭＡＣ−ｄ  ＰＤＵ  Ｓｉｚｅ  Ｆｏｒｍａｔ情報が、ＭＡＣ−ｄ  ＰＤＵのサイズが固定長であることを示す場合、前記基地局装置は、前記ＲＡＤＩＯ  ＬＩＮＫ  ＡＤＤＩＴＩＯＮ  ＦＡＩＬＵＲＥメッセージを用いて前記手順を拒絶する、請求項１４に記載の制御装置。
【請求項１７】
ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを、制御装置から受信する基地局装置と通信する手段を有する、端末。
【請求項１８】
前記ＲＬＣ  ＰＤＵサイズフォーマット情報は、ＲＬＣ  ＰＤＵサイズが固定長か否かを示す情報を含む、請求項１７に記載の端末。
【請求項１９】
前記ＲＬＣ  ＰＤＵサイズフォーマット情報は、Ｐｒｉｏｒｉｔｙ  Ｑｕｅｕｅのために用いられる、請求項１７または１８に記載の端末。
【請求項２０】
前記ＲＡＤＩＯ  ＬＩＮＫ  ＡＤＤＩＴＩＯＮ  ＲＥＱＵＥＳＴメッセージは、無線リンク追加の手順が開始する場合に送信される、１７乃至１９のいずれか一項に記載の端末。
【請求項２１】
前記ＲＡＤＩＯ  ＬＩＮＫ  ＡＤＤＩＴＩＯＮ  ＲＥＱＵＥＳＴメッセージが、Ｐｒｉｏｒｉｔｙ  ＱｕｅｕｅのＭａｘｉｍｕｍ  ＭＡＣ−ｄ  ＰＤＵ  Ｓｉｚｅ  Ｅｘｔｅｎｄｅｄ情報を含まず、前記サイズフォーマット情報が、前記ＲＬＣ  ＰＤＵのサイズが可変長であることを示している場合、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、１７乃至２０のいずれか一項に記載の端末。
【請求項２２】
前記ＲＡＤＩＯ  ＬＩＮＫ  ＡＤＤＩＴＩＯＮ  ＲＥＱＵＥＳＴメッセージが含む前記サイズフォーマット情報と、ＨＳ−ＤＳＣＨ  ＭＡＣ−ｄ  ＰＤＵ  Ｓｉｚｅ  Ｆｏｒｍａｔ情報とに基づいて、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、１７乃至２１のいずれか一項に記載の端末。
【請求項２３】
前記ＲＡＤＩＯ  ＬＩＮＫ  ＡＤＤＩＴＩＯＮ  ＲＥＱＵＥＳＴメッセージが含む前記サイズフォーマット情報と、前記ＨＳ−ＤＳＣＨ  ＭＡＣ−ｄ  ＰＤＵ  Ｓｉｚｅ  Ｆｏｒｍａｔ情報とが不一致の場合、前記基地局装置は、前記ＲＡＤＩＯ  ＬＩＮＫ  ＡＤＤＩＴＩＯＮ  ＦＡＩＬＵＲＥメッセージを用いて前記手順を拒絶する、請求項２２に記載の端末。
【請求項２４】
前記ＲＡＤＩＯ  ＬＩＮＫ  ＡＤＤＩＴＩＯＮ  ＲＥＱＵＥＳＴメッセージが、ＲＬＣ  ＰＤＵサイズが可変長にセットされた前記サイズフォーマット情報を含み、前記ＨＳ−ＤＳＣＨ  ＭＡＣ−ｄ  ＰＤＵ  Ｓｉｚｅ  Ｆｏｒｍａｔ情報が、ＭＡＣ−ｄ  ＰＤＵのサイズが固定長であることを示す場合、前記基地局装置は、前記ＲＡＤＩＯ  ＬＩＮＫ  ＡＤＤＩＴＩＯＮ  ＦＡＩＬＵＲＥメッセージを用いて前記手順を拒絶する、請求項２２に記載の端末。
【請求項２５】
基地局装置と制御装置を有し、
前記制御装置は、ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを、前記基地局装置に送信する、移動通信システム。
【請求項２６】
無線リンク追加の手順が開始する場合、前記ＲＡＤＩＯ  ＬＩＮＫ  ＡＤＤＩＴＩＯＮ  ＲＥＱＵＥＳＴメッセージが送信される、請求項２５に記載の移動通信システム。
【請求項２７】
前記ＲＡＤＩＯ  ＬＩＮＫ  ＡＤＤＩＴＩＯＮ  ＲＥＱＵＥＳＴメッセージが、Ｐｒｉｏｒｉｔｙ  ＱｕｅｕｅのＭａｘｉｍｕｍ  ＭＡＣ−ｄ  ＰＤＵ  Ｓｉｚｅ  Ｅｘｔｅｎｄｅｄ情報を含まず、前記サイズフォーマット情報が、前記ＲＬＣ  ＰＤＵのサイズが可変長であることを示している場合、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、請求項２５または２６に記載の移動通信システム。
【請求項２８】
前記ＲＡＤＩＯ  ＬＩＮＫ  ＡＤＤＩＴＩＯＮ  ＲＥＱＵＥＳＴメッセージが、ＲＬＣ  ＰＤＵサイズが可変長にセットされた前記サイズフォーマット情報を含み、前記ＨＳ−ＤＳＣＨ  ＭＡＣ−ｄ  ＰＤＵ  Ｓｉｚｅ  Ｆｏｒｍａｔ情報が、ＭＡＣ−ｄ  ＰＤＵのサイズが固定長であることを示す場合、前記基地局装置は、ＲＡＤＩＯ  ＬＩＮＫ  ＡＤＤＩＴＩＯＮ  ＦＡＩＬＵＲＥメッセージを用いて無線リンク追加の手順を拒絶する、請求項２５乃至２７のいずれか一項に記載の移動通信システム。
【請求項２９】
ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを受信する工程を有する、方法。
【請求項３０】
ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを送信する工程を有する、方法。
【請求項３１】
ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを受信する基地局装置と通信する工程を有する、方法。
【請求項３２】
ＲＬＣ  ＰＤＵのサイズフォーマット情報を含むＲＡＤＩＯ  ＬＩＮＫ  ＡＤＤＩＴＩＯＮ  ＲＥＱＵＥＳＴメッセージを送信する工程を有する、通信方法。